【事件の表示】
　平成　４年特許願第１３００８６号「パチンコ機におけるターミナルボックス」拒絶査定不服審判事件〔平成　５年１１月　９日出願公開、特開平　５−２９３２３５〕について、次のとおり審決する。
【結　論】
　本件審判の請求は、成り立たない。
【理　由】
１．手続の経緯・本願発明
　本願は、平成４年４月２２日の出願であって、その請求項１に係る発明は、平成１３年３月２７日（全文補正）及び平成１６年２月２０日に提出された手続補正書により補正された明細書の特許請求の範囲の請求項１に記載された次のとおりのものである。
「【請求項１】　前面板の周側縁を側枠で囲い後面が開口する略箱形に形成された合成樹脂製のカバー本体に、遊技盤裏面に装着される各種電気的作動機器から引き出された配線を接続するための配線基板を内装してなるターミナルボックスにおいて、前記カバー本体の前面板の裏面であってその隅角部に側枠から離れて保持部を設けると共に側枠の内側面には開口側で低くなる断面楔状の突起をそれぞれ設け、前記保持部と突起との間で挟着することにより前記配線基板がカバー本体内に組付けられ、またカバー本体の側枠を若干外方へ押し広げて突起の係止を解くことにより取り外せるようにしたことを特徴とするパチンコ機におけるターミナルボックス。」（以下「本願発明」という。）
　
２．引用刊行物等
　これに対して、当審の拒絶の理由に引用され本願の出願の日前に頒布された特開平１−２５４１８４号公報（以下、「刊行物１」という。）及び実願平２−７９６９６号（実開平４−３８０８１号）のマイクロフィルム（以下、「刊行物２」という。）、並びに、周知例としての実願昭６１−１８７４１９号（実開昭６３−９０８９１号）のマイクロフィルム（以下、「周知例１」という。）及び実願平１−４４８７６号（実開平２−１３６３８０号）のマイクロフィルム（以下、「周知例２」という。）には、それぞれ以下の事項が記載されている。
　
（１）刊行物１：特開平１−２５４１８４号公報
　ｉ）刊行物１には、以下の事項が記載されている。
　（１−ａ）「パチンコ機では、周知のように各種の電動装置として、モータや電磁ソレノイド等を利用した遊技球用発射装置、入賞球処理装置及び賞球給出装置等が装備され、また電気部品として、遊技機裏側のスイッチや電磁ソレノイド等の他に、遊技盤に設置される図柄可変表示装置、各種入賞装置内のランプやスイッチ及びモータやソレノイドさらにはこれらにかかる中央制御基盤等が装備されており、」（２頁左上欄４〜１２行）
　（１−ｂ）「本発明にかかる過電圧防止具の好適な実施例について、本例では第１図に略示されるパチンコ機Ｐの裏機構盤Ｍの右上隅部にビス着された電源ターミナルボックス１内の電源制御基盤２に実施された例について示す。・・・電源制御基盤２側を要約説明すると、同基盤２では、上記ターミナルボックス１内に収容されてビス着されており、そして必要なパターンの通電回路を構成した回路盤３において、遊技店内等の低圧電源部（AC24V）に接続されるべき低圧用電源接続具つまり第２図の電源コンセント４以降に、ヒューズF1〜F3、ダイオードD1〜D5、直流整流器DS、リレーコイルRV1〜RY3及びその接点ry1〜ry3、LEDランプL1．L2、電解コンデンサーＣ及びリセットスイッチRSそしてパチンコ機Ｐにおける各種の電動装置及び電気部品にかかる複数のコネクターC1〜C7等が配置されており、これら各回路部品が第３図に示す電気回路中の所定位置に接続されている。なお、第２図中５はターミナルボックス１にビス着されたカバーで、基盤２の一部を覆蓋する。」（２頁右下欄下から４行〜３頁左上欄下から４行）
　（１−ｃ）「各コネクターにおいて、第３図に略示されるようにC1には球切れ表示ランプ６及び入賞表示ランプ７が接続され、C2には球切れ情報スイッチ８、球切れ検出スイッチ９、入賞確認スイッチ１０及び発射装置のモータ１１が接続され、C3．C4．C5．C6には磁石不正使用検出スイッチ１２、ガラス窓開放検出スイッチ１３、表示ランプ１４、入賞球検出スイッチ１５が個々に接続され、そしてC7にはAC24Vを使用する中央制御基盤１６が接続される。なお上記各部品については、第１図に略示されるようにパチンコ機の各部に配置されている。」（３頁左上欄末行〜右上欄１１行）
　（１−ｄ）「前面板の周側縁を側枠で囲い後面が開口する略箱形に形成されたカバー５。」（図面第２図参照。）
　
　ii）上記（１−ａ）〜（１−ｃ）の記載を参照すると、電源制御基盤２では、回路盤３において複数のコネクターC1〜C7が配置されており、前記各コネクターにおいて、電動装置及び電気部品が個々に接続されているから、以下のことがいえる。
　（１−ｅ）「電源制御基盤２では、各種の電動装置及び電気部品から引き出された配線を回路盤３において接続する。」
　
　iii）上記（１−ｂ）の記載を参照すると、ターミナルボックス１はパチンコ機Ｐの裏機構盤Ｍにビス着されており、該裏機構盤Ｍが遊技盤裏面に装着されていることは明らかであるから、以下のことがいえる。
　（１−ｆ）「ターミナルボックス１は遊技盤裏面に装着される。」
　
　iv）上記（１−ａ）〜（１−ｆ）の記載からみて、刊行物１には、以下の発明が記載されていると認められる。
「電源制御基盤２では、各種の電動装置及び電気部品から引き出された配線を回路盤３において接続し、前記回路盤３を収容しビス着してなる、遊技盤裏面に装着されるパチンコ機Ｐのターミナルボックス１に、前面板の周側縁を側枠で囲い後面が開口する略箱形に形成されたカバー５をビス着し、前記カバー５で前記電源制御基盤２の一部を覆蓋をしてなる。」（以下、「刊行物１記載の発明」という。）
　
（２）刊行物２：実願平２−７９６９６号（実開平４−３８０８１号）のマイクロフィルム
　ｉ）刊行物２には、以下の事項が記載されている。
　（２−ａ）「１は・・・プリント配線板で、外面側となる片面の両端部にはそれぞれ端子２が設けられ、内面側となる他面側に複数個の電子部品を搭載することによりモジュールの回路機能部を構成している。
　７は可撓性を有する樹脂製のケースで、・・・一面を前記プリント配線板１の外形に対応した大きさの開口面とした箱形のケース本体７ａと、このケース本体７ａ内側の対向する２面に形成された係止爪７ｂと、この係止爪７ｂと同一面に形成された貫通孔７ｃを有する係止壁７ｄと、他の対向する２面に形成されたリブ７ｅとを備えており、このリブ７ｅは係止壁７ｄと同じ高さに形成されている。」（９頁６行〜下から２行）
　（２−ｂ）「プリント配線板１とケース７との組み立てについて説明する。
　まず、・・・プリント配線板１を・・・ケース本体７ａの開口面側から挿入して行くと、このプリント配線板１の両端部は係止爪７ｂの傾斜面に沿って挿入されるため、係止爪７ｂ及び係止壁７ｄが形成されている面が・・・押し拡げられる。この作用はケース７が可撓性を有する樹脂の成形品であることによって可能となる。
　その後、更にプリント配線板１を挿入して行くと、プリント配線板１の両端部は係止壁７ｄの端面に当接して止まり、同時に係止爪７ｂ及び係止壁７ｄが形成されている面が元に戻るため、プリント配線板１の両端部は係止爪７ｂと係止壁７ｄとで挟まれ、これによりプリント配線板１の収納固定が完了する。」（１１頁５行〜１２頁１行）
　（２−ｃ）「強固にプリント配線板１を収納保持する必要がある場合には、リブ７ｅの代わりに前述した係止爪７ｂ及び係止壁７ｄを設ければよい。」（１２頁１１〜１４行）
　（２−ｄ）「プリント配線板をケース本体の開口面側から挿入して行くと、プリント配線板の両端部が係止爪と係止壁とで挟まれて、ケース内に収納固定されるようにしている。
　従ってこれによれば、プリント配線板をケースに固定するためのネジや充填樹脂等の部品を必要とせず、プリント配線板を押し込むだけでケース内に収納固定できるので、短時間で簡単に組み立てを行うことができることになり、組立の簡易化，及び作業性の向上を図ることができる」（１３頁４〜１３行）
　（２−ｅ）「ケース本体７ａは、開口面と反対側の面を形成する部材の周側縁を側枠で囲って箱形に形成され、該側枠の内側面に設けた係止爪７ｂは、開口側で低くなる断面楔状である。」（第１〜３図参照。）
　
　ii）上記（２−ａ）及び（２−ｂ）の記載を参照すると、ケース本体７ａは可撓性を有する樹脂製であるから、以下のことがいえる。
　（２−ｆ）「プリント配線板１が、ケース本体７ａの側枠を若干外方へ押し広げて係止爪７ｂの係止を解くことにより取り外せる。」
　
（３）周知例１：実願昭６１−１８７４１９号（実開昭６３−９０８９１号）のマイクロフィルム　
　ｉ）周知例１には、（従来の技術）の欄に、以下の事項が記載されている。
　（３−ａ）「第２図に、従来のプリント基板収納用枠体の外観斜視図を示す。第２図において、板金製の枠体１は、収納すべきプリント基板２よりほんの僅かに大きい内寸法に形成されている。そして、枠体１の開放端側の各側壁に開放端縁１ａに開口を向けてそれぞれコ字状スリット３，３…が形成され、これらのコ字状スリット３，３…で囲まれる係止用爪片４，４…を枠体１の内方にすこし突出させるように折り曲げられて構成されている。」（１頁下から３行〜２頁６行）
　（３−ｂ）「挿入されたプリント基板２を担持するために、係止用爪片４，４…の先端からプリント基板２の厚さだけ挿入方向側にずれた位置で、枠体１の側壁に図示しない支持用突起が内方に向けて設けられ、または枠体１の底面に図示しない支持柱が立設されている。」（２頁７〜１２行）
　（３−ｃ）「プリント基板２を枠体１に挿入すると、係止用爪片４，４…が弾性変形するとともに枠体１がたわんでプリント基板２の挿入通過が許容される。そして、通過が完了すると係止用爪片４，４…が弾性復帰して再度枠体１の内方に突出する。したがって、プリント基板２は、支持用突起または支持柱等によって挿入方向側への移動が制限され、反対側は係止用爪片４，４…で抜けが阻止されて容易に固定される。」（２頁１３行〜３頁１行）
　
　ii）上記（３−ａ）〜（３−ｃ）の記載を参照すると、以下のことがいえる。
　（３−ｄ）「プリント基板２は、枠体１の底面に立設されている支持柱によって挿入方向側への移動が制限され、反対側は枠体１の各側壁に形成された係止用爪片４，４…で抜けが阻止されて固定される。」
　
（４）周知例２：実願平１−４４８７６号（実開平２−１３６３８０号）のマイクロフィルム
　周知例２には、以下の事項が記載されている。
　（４−ａ）「本考案は、プラスチック筐体におけるプリント板固定構造に関する。」（１頁下から３、２行）
　（４−ｂ）「本考案は、筺体の平面部２上に平行にプリント板１を固定するものであり、凸状の受部６と、可動接片３を設けた支持部４とを備えてなるものである。
　上記受部６は、プリント板１の端部下面を受けるものであり、少なくともプリント板１の両端部２個所に設けられる。
　上記支持部４は、上記受部６上に載置されたプリント板１の端縁に当接する位置に設けられるものであり、横長長方形状の弾性部材からなる。そして両端をＬ形に折曲して筐体の平面部２に対し安定的に設置できるようになっている。また、この支持部４は、その両端部のみを筐体の平面部２に一体的に取付けてあり、中間部は平面部２に逃げ穴５を形成して自由な状態となっている。従って、この中間部は前後方向に自由に撓むことができるようになっている。
　支持部４は、その自由にされた中間部に可動接片３を有している。可動接片３は受部６上に載置したプリント板１側へ突出すると共に、その上面部をテーパー状としてある。そしてこの可動接片３の下面と受部６の上面の隙間には、プリント板１の板厚より微かに小さくしてある。」（４頁下から７行〜５頁下から３行）
　（４−ｃ）「上方よりプリント板１を筐体２へ落とし込むと、可動接片３にプリント板１の端縁が接する。可動接片３は４で支持され、逃げ穴５によりイ方向へプラスチックの弾性特性で移動することが可能になっている。この状態よりプリント板１をア方向へさらに落とし込むと・・・支持部４は後方へ湾曲する。・・・プリント板１を落とし込むと、プリント板１は受部６に載置され、可動接片３を越えてプリント板１が係合するため支持部４は湾曲した状態からもとの状態に復帰する。そしてプリント板１の端縁は確実に固定されることとなる。」（５頁末行〜６頁下から６行）
　（４−ｄ）「受部６は、可動接片３を有している支持部４から離れて平面部２に設けられている。」（図面第１、２図（ａ）〜（ｃ）参照。）
　
３．対比
　本願発明と刊行物１記載の発明を対比する。
　刊行物１記載の発明において、「ターミナルボックス１」は回路盤３を収容し、「カバー５」は、前面板の周側縁を側枠で囲い後面が開口する略箱形に形成され、回路盤３を構成部材とする電源制御基盤２の一部を覆蓋して、「ターミナルボックス１」にビス着されていることから、「ターミナルボックス１」と「カバー５」で、回路盤３を内装していると認められる。そして、刊行物１記載の発明の「回路盤３」、「カバー５」は、それぞれ、本願発明の「配線基板」、「カバー本体」に相当するから、刊行物１記載の発明の「ターミナルボックス１」と「カバー５」は、機能において本願発明の「ターミナルボックス」と共通していると認められる。
　また、刊行物１記載の発明の「各種の電動装置及び電気部品」は、本願発明の「各種電気的作動機器」に相当すると認められる。
　したがって、両者は、以下の点で一致し、また、相違する。
　＜一致点＞
「前面板の周側縁を側枠で囲い後面が開口する略箱形に形成されたカバー本体を構成部材とし、遊技盤裏面に装着される各種電気的作動機器から引き出された配線を接続するための配線基板を内装してなるパチンコ機におけるターミナルボックス。」の発明である点で一致するが、以下の点で相違すると認められる。
　＜相違点＞
　本願発明では、「合成樹脂製のカバー本体に、配線基板を内装してなる」ものであり、「カバー本体の前面板の裏面であってその隅角部に側枠から離れて保持部を設けると共に側枠の内側面には開口側で低くなる断面楔状の突起をそれぞれ設け、前記保持部と突起との間で挟着することにより前記配線基板がカバー本体内に組付けられ、またカバー本体の側枠を若干外方へ押し広げて突起の係止を解くことにより取り外せるようにした」のに対して、刊行物１記載の発明では、カバー５（カバー本体）が合成樹脂製かどうか不明であり、ターミナルボックス１とカバー５（カバー本体）で回路盤３（配線基板）を内装しており、ターミナルボックス１に、回路盤３（配線基板）とカバー５（カバー本体）がそれぞれビス着されている点。
　
４．当審の判断
　上記相違点について検討する。
　上記刊行物２には、「樹脂製（本願発明の「合成樹脂製」に相当する。以下、括弧内は、刊行物２に記載の構成要素に相当する本願発明の構成要素を示す。）のケース本体７ａ（カバー本体）に、プリント配線板（配線基板）を収納（内装）してなる」点、及び、「側枠の内側面には開口側で低くなる断面楔状の係止爪７ｂ（突起）をそれぞれ設け、係止壁７ｄ（保持部）と係止爪７ｂ（突起）との間で挟まれる（挟着する）ことによりプリント配線板１（配線基板）がケース本体７ａ（カバー本体）内に収納固定され（組付けられ）、またケース本体７ａ（カバー本体）の側枠を若干外方へ押し広げて係止爪７ｂ（突起）の係止を解くことにより取り外せるようにした」点が記載されていると認められる。
　また、保持部と突起との間でプリント基板（プリント板）を固定するものにおいて、突起を設けた部材から離れて保持部を設け、保持部と突起とを同一面に設けないようにすることは、周知技術（上記周知例１及び２参照。）である。
　そうすると、刊行物１記載の発明において、刊行物２記載の上記の点を採用して、カバー５（カバー本体）を合成樹脂製とし、カバー５（カバー本体）に回路盤３（配線基板）を組み付けて内装しようとすることは当業者であれば容易に想到し得ることであり、カバー５（カバー本体）に回路盤３（配線基板）を組み付けるにあたり、刊行物２記載の係止壁７ｄ（保持部）を側枠に設けずに、カバー５（カバー本体）の前面板の裏面であって側枠から離れて保持部を設けることは、上記周知技術を採用することにより当業者が容易になし得る程度の設計的事項にすぎない。また、前面板の隅角部に保持部を設ける点は、格別の技術的意義があるとも認められず、当業者が必要に応じて適宜に設定し得る程度の設計的事項にすぎない。
　そして、本願発明によって奏せられる効果は、刊行物１、２記載の発明及び上記周知技術によって奏せられる効果と比較して格別顕著なものとも認められない。
　
 ５．むすび
　以上のとおりであり、本願発明は、上記刊行物１、２に記載された発明及び上記周知技術に基いて当業者が容易に発明をすることができたものであるから、特許法第２９条第２項の規定により特許を受けることができない。
　よって、結論のとおり審決する。